(57)【特許請求の範囲】
【請求項１】
チューブを圧迫して閉止することができるチューブ押さえ部材を少なくとも一方の内側に有する１対の突出片、該突出片を連結する湾曲部、先端部付近を相互に掛止可能な掛止部、およびチューブ挿通用の開口部を有するチューブ開閉クランプにおいて、チューブ押さえ部材をチューブを把持する位置に固定させる第１の掛止部と、チューブ押さえ部材を圧迫してチューブの閉止を行う位置に固定させる第２の掛止部とを有する掛止部であり、前記掛止部が一方の端部に凸部を有した掛止端が形成され、他方の端部に前記凸部との第1の溝部と、掛止端との第２の溝部が形成されており、前記第１の溝部が始部を有する溝であり、前記第２の溝部が凸部を受け入れる溝と、掛止端を掛止する軒状部とからなることを特徴とするチューブ開閉クランプ。
【請求項２】
請求項１記載のチューブ開閉クランプをチューブに装着してなる医療器具。
【請求項３】
請求項１記載のチューブ開閉クランプを装着してなる血液透析用の血液回路。
【発明の詳細な説明】
【０００１】
【発明の属する技術分野】
本発明は、チューブ特に医療用のチューブの開閉を行うためのクランプに関する。さらに詳しくは、前期チューブを狭窄して永続して閉止できるチューブクランプに関する。
【０００２】
【従来の技術】
医療用具には、チューブの開閉を行うために、種々の構造のクランプが使用される。その中の一つに、チューブに装着しておき、必要に応じてチューブを片手で容易に閉止し、その状態を維持できるようにしたクランプがある。その構造を図面に基づいて説明する。図１は、従来のクランプの一例を示す正面図である。クランプには、内側の対向する位置に２つの突起３が設けられており、２つの突起の間の湾曲部４を支点として開閉し、これでチューブを両面から狭窄して閉止する。クランプの端部は、一方が他方に掛止できる構造になっており、チューブを閉止した状態で掛止されて閉止状態が維持される。
【０００３】
【発明が解決しようとする課題】
このようなクランプにおいては、チューブは、チューブの外径より大きな開口部に挿通されるため、掛止部を解除した状態においては、クランプをチューブ上を自在に動かすことが可能である。そのため、チューブ上の同位置で繰り返し開閉をおこなうことによって生じるチューブの劣化を防ぐことができるといった利点があるが、その反面不用意にクランプがチューブ上を移動してしまい、チューブを閉止させる際には好ましい位置にクランプを移動させなければならないといった不都合があった。
【０００４】
本発明の目的は、チューブ上を自在に移動させることが可能であり、且つ不用意に移動することのない改良されたチューブ開閉クランプを提供することにある
【０００５】
。
【課題を解決するための手段】
本発明は図１に示すような従来の掛止部において、チューブにクランプを固定させるための第１の掛止部と、チューブを閉止するための第２の掛止部を設けることにより、上記の目的を達成した。即ち、本発明は、チューブを圧迫して閉止することができるチューブ押え部材を少なくとも一方の内側に有する１対の突出片、該突出片を連結する湾曲部、先端部付近を相互に掛止可能な掛止部、およびチューブ挿通用の開口部を有するチューブ開閉クランプにおいて、前記掛止部が、チューブ押え部材をチューブを把持する位置に固定させる第１の掛止部と、チューブ押え部材を圧迫してチューブの閉止を行う位置に固定させる第２の掛止部とを有することを特徴とするチューブ開閉クランプである。
【０００６】
【発明の実施の形態】
以下、図２、および図３ないし図６に基づいて本発明のチューブ開閉クランプの構成および動作について説明するがこれらに限定されるものではない。
【０００７】
図２に示すチューブ開閉クランプは、前記各構成部材が合成樹脂で一体的に形成されたものであり、本発明のチューブ開閉クランプとしては前記のようなものが好ましいが、本発明のチューブ開閉クランプは必ずしも合成樹脂で一体的に形成されたものに限られるものではない。
【０００８】
チューブ押え部材６は、チューブ閉止機能を有する形状のものであればよく、例えばチューブ側を凸にした三角形状あるいは弧状のものが挙げられる。
【０００９】
チューブ押え部材６の先端部には、丸みをを有する小突起部３が設けられているが、小突起は必ずしも設けなくても良い。また、前記チューブ押え部材６および小突起部３は、突出片２と一体的に形成され設けられたものが好ましい。
【００１０】
また小突起部３はチューブの確実な閉止を容易に行うことができる形状のものであれば特に制限されるものではないが、例えば本図に示すように丸みを有する形状のものが好ましい。さらに、小突起部３をチューブ押え部材６の上下に設け、該チューブ押え部材６によりチューブを閉止した場合に、小突起部３同志が前後に噛み合って閉止するように小突起部３を配置するのが好ましい。
【００１１】
湾曲部４は、ここを支点としてチューブの開閉を行うことができるので弾性を有する材質および形状のものであればよい。
【００１２】
また、チューブ挿通用開口部８Ａ、８Ｂは、湾曲部付近４、５付近に設けるのがよい。また、そのチューブ挿通用開口部８Ａ、８Ｂは、チューブ挿通の容易さ等の観点からできるだけ大きい開口部のものがよく、例えば、湾曲部に長円状の開口部を設けるのが好ましい。
【００１３】
本発明の特徴である掛止部９は、少なくとも一方の突出片２が前端部分に立上がり部を有する突出片２の先端部分付近に設けるのが好ましい。該掛止部９は、一方の端部に凸部９１を有した掛止端９２が形成され、他方の端部に前記凸部９１との第１の溝部９３と、掛止端９２との第２の溝部９４が形成されているおり、凸部９１との第１の溝部９３との掛止によりチューブ押え部材６をチューブを把持する位置にて固定させ、掛止端９２との第２の溝部９４の掛止によりチューブ押え部材６を圧迫してチューブの閉止を行う位置にて固定させるものである。第１の溝部９３および第２の溝部９４は、他方の掛止部の先端から湾曲部５に向かって、順に設けられている。
【００１４】
掛止部９の一方の端部に設けられた凸部９１は、凸部の基端から先端までの長さが、突出片２を指で押えて第１の溝部９３に容易に嵌入させることができる程度であるのが好ましく、凸部９１の先端が他方の端部へ架かる程度であるのが好ましい。
【００１５】
第１の溝部９３は、凸部９１を受け入れ、凸部９１を第２の溝部９４へ移動させる際にさまたげとなるもの含むものでなければよく、図３に示すごとく開口した溝であるのが好ましいが、これに限定されるものではなく、開口しない溝や、あるいは他方の掛止部の先端付近の内面に張出した軒状部のみからなるものであっても良い。掛止は、凸部を第１の溝部９３の始部９５や溝部の途中に設けられた凹部や分岐した溝、軒状部の軒下等に当接されることで維持される。
【００１６】
第２の溝部９４は、凸部９１を受け入れ、且つ掛止端を受け入れるものであれば良く、図３に示すごとく凸部を受け入れる開口した溝を有し、尚且つ掛止端を当接して掛止させるための軒状部を有するものであるのが好ましいがこれらに限定されるものではなく、掛止端を受け入れる溝が、側壁を有する溝であってもよい。掛止は、前記軒上部の軒下や、側壁を有する溝の始部や、溝部の途中に設けられた凹部、分岐した溝等に当接することで維持される。
【００１７】
【実施例】
本発明のクランプは、図２、図７および図８に示すようにチューブ挿通用開口部８Ａ、８Ｂにチューブ７を通して使用に供する。
【００１８】
クランプにチューブを把持させる際には、クランプを両側から指で押えることにより、湾曲部５を支点に、立上がり部５が後方に撓み、凸部９１が他方の端部先端より第１の溝部９３に滑り込み、突出片２より指を放すと凸部９１が第１の溝部９３の始部９５に当接し掛止される。それに伴って、チューブ押え部材６によりチューブ７がクランプにより把持される。
【００１９】
チューブを閉止する際には、クランプをさらに押えて、掛止端９２を軒状部９６の軒下に掛止される。それに伴って、小突起部３同志が前後に噛み合ってチューブ７が閉止される。
【００２０】
本発明のチューブ開閉クランプは、２段階の掛止が行われる点で、従来のクランプと動作においては若干の相違はあるが、操作自体は従来とほぼ同様に行うことができる。
【００２１】
図７に第１の溝部９３に凸部９１を掛止させ、本発明のクランプによってチューブ７を把持した状態を示し、図８に第２の溝部９４に掛止端９２を掛止させ、本発明のクランプによってチューブ７を閉止した状態を示す。
【００２２】
【発明の効果】
本発明によれば、チューブ押え部材をチューブを把持する位置に固定させる第１の掛止部と、チューブ押え部材を圧迫してチューブの閉止を行う位置に固定させる第２の掛止部とを設けたことにより、掛止を解除した際には、チューブ上を自在に移動させることが可能であるが、第１の掛止部を掛止した際には、不用意にクランプがチューブ上を移動することがない。
【図面の簡単な説明】
【図１】従来のチューブ開閉クランプの一例の正面図。
【図２】本発明のチューブ開閉クランプの一例を示す正面図である。
【図３】図２示すチューブ開閉クランプの左側面図である。
【図４】図２示すチューブ開閉クランプの右側面図である。
【図５】図２示すチューブ開閉クランプの平面図である。
【図６】図２示すチューブ開閉クランプの底面図である。
【図７】図２示すチューブ開閉クランプの第１の溝部に凸部を掛止させた際の正面図である。
【図８】図２示すチューブ開閉クランプの第２の溝部に掛止端を掛止させた際の正面図である。
【符号の説明】
２．    突出片
３．    小突起部
４．    湾曲部
５．    湾曲部
６．    チューブ押え部材
７．    チューブ
８Ａ．  チューブ挿通用開口部
８Ｂ．  チューブ挿通用開口部
９．    掛止部
９１．  凸部
９２．  掛止端
９３．  第１の溝部
９４．  第２の溝部
９５．  第１の溝部の始部
９６．  第２の溝部の軒状部
【図１】
0003653904.tif 000002
【図３】
0003653904.tif 000003
【図４】
0003653904.tif 000004
【図２】
0003653904.tif 000005
【図７】
0003653904.tif 000006
【図８】
0003653904.tif 000007
【図５】
0003653904.tif 000008
【図６】
0003653904.tif 000009